(57)【要約】      （修正有）【課題】薄葉紙の取出し性能およびセッティング作業の容易化を確実に担保できる収容容器を提供する。【解決手段】取出部１０３にベース部１０４と変形部１０５を設け、変形部１０５は、薄葉紙を収容容器本体部と外部の間で挿通可能な開口部１１４を有し、収容容器から離間する方向を第１方向Ｄ１、近接する方向を第２方向Ｄ２とした場合に、変形部１０５は、第１方向Ｄ１に凸状とされた第１形状Ｓ１を有するとともに、外力作用を介して第２方向Ｄ２に凸状とされた第２形状へと変形可能に構成されており、第１形状Ｓ１における開口部１１４は、開口部を通過する薄葉紙に対して摺動抵抗を付与する構成とされ、第２形状における開口部１１４は、第１形状Ｓ１における開口面積よりも大きな開口面積とされ、取出部１０３に外力が作用しない状態において、第２形状とされた変形部１０５が第１形状Ｓ１へと復元することを規制する復元規制機構１１７を更に有する。【選択図】図２
2019099237.tif 000002
【特許請求の範囲】
【請求項１】
薄葉紙を収容する収容容器であって、
収容容器本体部、および前記収容容器本体部に連接された薄葉紙の取出部を有し、
前記取出部は、ベース部と、前記ベース部に連接された変形部を有し、
前記変形部は、前記薄葉紙を前記収容容器本体部と外部の間で挿通可能に構成された開口部を有し、
前記収容容器から離間する方向を第１方向、近接する方向を第２方向とした場合に、前記変形部は、常時には前記第１方向に凸状とされた第１形状を有するとともに、外力作用を介して、前記第２方向に凸状とされた第２形状へと変形可能に構成されており、
前記第１形状における前記開口部は、前記開口部を通過する薄葉紙に対して摺動抵抗を付与する構成とされ、
前記第２形状における前記開口部は、前記第１形状における開口面積よりも大きな開口面積となるよう構成されており、
前記取出部に外力が作用しない状態において、前記第２形状とされた前記変形部が前記第１形状へと復元することを規制する復元規制機構を更に有することを特徴とする収容容器。
【請求項２】
請求項１に記載された収容容器であって、
前記変形部は、前記基部に隣接する第１環状部材と、前記第１環状部材の内側に同心状に配置された第２環状部材と、前記第１環状部材および第２環状部材を連接する連接部と、を有し、
前記開口部は、前記第２環状部材に設けられ、
前記復元規制機構は、前記変形部が前記第２形状に置かれた場合に、前記第１環状部材が前記第１方向に変位することを阻止するよう設定された前記連接部を構成要素とすることを特徴とする収容容器。
【請求項３】
請求項２に記載の収容容器であって、
前記連接部は、前記第１環状部材との間に曲折部を有し、
前記復元規制機構は、前記曲折部を構成要素とすることを特徴とする収容容器。
【請求項４】
請求項２または３に記載の収容容器であって、
前記連接部は、前記第２環状部材との間に曲折部を有し、
前記復元規制機構は、前記曲折部を構成要素とすることを特徴とする収容容器。
【請求項５】
請求項２から４のいずれか１項に記載された収容容器であって、
前記連接部には厚肉部が設けられており、
前記復元規制機構は、前記厚肉部を構成要素とすることを特徴とする収容容器。
【請求項６】
請求項２から５までのいずれか１項に記載された収容容器であって、
前記連接部には段差部が形成されており、
前記復元規制機構は、前記段差部を構成要素とすることを特徴とする収容容器。
【請求項７】
請求項２から６までのいずれか１項に記載された収容容器であって、
前記第１環状部材は、前記第１方向および第２方向に関し傾斜状とされた筒状部を有し、前記連接部は、当該第１方向および第２方向に関し、前記筒状部の傾斜角度と異なる角度で延在することを特徴とする収容容器。
【請求項８】
請求項１から７のいずれか１項に記載された収容容器であって、
少なくとも前記連接部は閉じた環状に形成されていることを特徴とする収容容器。
【請求項９】
請求項１から８のいずれか１項に記載された収容容器であって、
前記第２環状部材の前記第２方向側にリブ部材が設けられていることを特徴とする収容容器。
【請求項１０】
請求項９に記載された収容容器であって、
前記リブ部材は、前記第２環状部材から、更に前記第１環状部材に延在配置されることを特徴とする収容容器。
【請求項１１】
請求項９に記載された収容容器であって、前記リブ部材は、更に前記ベース部に至るまで延在配置されることを特徴とする収容容器。
【請求項１２】
請求項９から１１までのいずれか１項に記載された収容容器であって、
前記リブ部材は、複数設けられるとともに、前記取出部が前記第１形状に置かれた場合に、前記複数のリブ部材の端部が、前記薄葉紙に当接することで、当該薄葉紙に対する摺動抵抗を付与するよう構成されることを特徴とする収容容器。
【請求項１３】
請求項１２に記載された収容容器であって、
前記リブ部材は、前記薄葉紙への当接箇所に対応して設けられた爪歯部を有することを特徴とする収容容器。
【請求項１４】
請求項１から１３のいずれか１項に記載された収容容器であって、
前記薄葉紙には破断線が形成されており、
前記第１形状に置かれた前記変形部は、前記開口部を通過する薄葉紙に対して摺動抵抗を付与することで、前記薄葉紙の前記破断線における破断動作を補佐するように構成された通常使用モードに対応し、
前記第２形状に置かれた前記変形部は、前記収容容器本体部に収容された状態の前記薄葉紙を前記開口部に挿通する場合に、前記第１形状における開口面積よりも大きな開口面積とされた前記開口部が、当該薄葉紙の挿通動作を容易化するよう構成された、薄葉紙セッティングモードに対応することを特徴とする収容容器。
【請求項１５】
請求項１から１４までのいずれか１項に記載された収容容器であって、
前記薄葉紙はウェットティッシュで構成され、
前記取出部には、前記開口部を開閉自在に覆う蓋が設けられ、前記蓋を介して前記開口部が覆われた状態においては、前記収容容器内外の連通が遮断されることを特徴とする収容容器。
【発明の詳細な説明】
【技術分野】
【０００１】
本発明は、薄葉紙を収容する収容容器の構築技術に関する。
【背景技術】
【０００２】
特開２０１０−２４７８９９号公報には、家庭用薄葉紙の収容容器に関する構成が開示されている。この収容容器は、薄葉紙の取出部を備えた容器本体と、蓋体を備えており、取出部には、弾性変形可能な面部と、当該面部に設けられて当該薄葉紙を挿通するための取出孔が設けられている。そして当該収容容器においては、面部が容器本体の内側に向けて押し込まれる際、取出孔の開口が広がることで、薄葉紙の取出孔への挿通動作が容易化される。一方、容器本体の外側に向けて復元する場合には、当該取出孔の開口が当初のサイズ（当初の開口面積）に戻るように構成される。このように、従来の収容容器では、取出孔の開口面積の拡大と縮小を利用することで、収容容器の使用性向上が図られている。
【先行技術文献】
【特許文献】
【０００３】
【特許文献１】特開２０１０−２４７８９９号公報
【発明の概要】
【発明が解決しようとする課題】
【０００４】
上記収容容器においては、面部は、弾性変形可能な素材で形成されるとともに、通常は容器本体の外側に凸となる形状に設定されている。このため、内側に向けて面部が押し込まれた状態にあっても、当該面部には外側に凸となるように弾性復元力が作用し続けている。このため、面部を容器本体の内側に向けて押し込んだ状態で、薄葉紙を取出孔に相通してセッティングする途中で、不用意に面部が容器本体の外側に復元動作し、薄葉紙のセッティング動作に支障をきたすという問題がある。
【０００５】
本発明は、上記問題に鑑み、薄葉紙を取出し自在に収容する収容容器につき、当該薄葉紙の取出し性能およびセッティング作業の容易化を確実に担保できる技術を提供することを目的とする。
【課題を解決するための手段】
【０００６】
上記課題は特許請求の範囲に記載の本発明によって解決される。
本発明に係る収容容器は、薄葉紙を収容するために用いられる。当該収容容器は、収容容器本体部、および前記収容容器本体部に連接された薄葉紙の取出部を有するよう構成される。また前記取出部は、ベース部と、前記ベース部に連接された変形部を有するよう構成される。そして当該変形部は、前記薄葉紙を前記収容容器本体部と外部の間で挿通可能に構成された開口部を有するよう構成される。収容容器本体部は、複数の構成部材を連接して構成する態様、一体成形上の本体部によって構成する態様等が好適に採用可能とされる。
【０００７】
薄葉紙は、坪量、すなわち単位面積当りの重量が相対的に少ない薄紙をいい、典型的には、１平方メートル当たり２０〜６０ｇ程度の仕様設定とされる。薄葉紙の典型的構成例としては、使い捨て式の、ティッシュペーパ、ウェットティッシュペーパ、ちり紙、衛生紙等がこれに該当する。
薄葉紙は、一枚の単体構成とされてもよく、複数の単位片の集合体として形成されてもよい。単体の紙体として形成するとともに、例えば所定間隔毎に破断線を形成して、当該破断線で分離することによって単位片を取り出す構成とすることもできる。また、いずれの場合であっても、薄葉紙はロール状、あるいは折畳状に構成可能である。
【０００８】
本発明においては、収容容器から離間する方向を第１方向と定義し、近接する方向を第２方向と定義した場合に、前記変形部は、常時には前記第１方向に凸状とされた第１形状を有するとともに、外力作用を介して、前記第２方向に凸状とされた第２形状へと変形可能に構成されている。
【０００９】
「常時」とは、格別の外力が変形部に作用しない、通常の使用時を意味する。また「外力作用を介して」とは、典型的には、使用者の手指による変形部の押圧操作がこれに該当する。また当該外力は、第２方向への変形部の変形を促すべく、当該第２方向へと作用するのが典型例であるが、第２方向成分を含む他の方向への外力作用も好適に包含されるものとする。
また「変形」とは、典型的には、変形部の全部または一部を弾性材料で形成しておき、当該弾性材料の変形作用を介して第２方向に凸状となるように形態が変化することをいう。
なお第１方向と第２方向は、典型的には互いに１８０度対向する方向として定義されるが、少なくとも、収容容器から離間する方向および近接する方向であれば足りる趣旨である。
【００１０】
本発明において、前記第１形状における前記開口部は、前記開口部を通過する薄葉紙に対して摺動抵抗を付与する構成とされる。これにより、収容された薄葉紙の取出し時に、一定の抵抗が与えられ、薄葉紙の取出し性能の向上に資する。例えば、薄葉紙を破断線で破断させて、単位片毎に取出す形態を採用する場合、薄葉紙に摺動抵抗を付与して、当該破断線での破断動作を容易化できる。
【００１１】
本発明において、前記第２形状における前記開口部は、前記第１形状における開口面積よりも大きな開口面積となるように構成されている。第２形状において開口部の開口面積が相対的に大きくなることにより、収容容器に収容された薄葉紙につき、当該開口部を挿通し易くなるため、収容容器における薄葉紙のセッティング動作が容易化されることになる。
開口部の開口面積を変化させるには、例えば、スリットによって開口部を形成するとともに、当該スリットの形状を変化させることで開口面積を調整する構成が好適に採用可能である。
【００１２】
本発明においては、前記取出部に外力が作用しない状態において、前記第２形状とされた前記変形部が前記第１形状へと復元することを規制する復元規制機構を更に有する。
「復元規制機構」とは、第２形状に置かれた変形部につき、積極的に第２形状を維持するように仕向ける機構、第１形状に復元しようとする変形部に所定の抵抗を付与することで当該復元動作を抑制する機構のいずれも包含する趣旨である。
【００１３】
復元規制機構につき、例えば、第２形状に置かれた変形部を把持して復元動作を規制するといったように、上記変形部とは別に復元規制機構を独立して設定する構成、あるいは、第２形状に置かれた変形部の復元動作を、当該変形部の一部の構成要素が規制するといったように、変形部の一部が復元規制機構をなす構成、あるいはその双方の組み合わせ等が採用可能である。
【００１４】
本発明によれば、常時には、変形部が第１形状に置かれ、当該変形部に設けられた開口部において、所定の摺動抵抗が付与された状態で、薄葉紙が収容容器から円滑に取出可能とされる。
【００１５】
一方、変形部が外力作用を介して第２形状に置かれた場合、当該変形部に設けられた開口部が、上記第１形状における開口面積よりも大きな開口面積とされることで、薄葉紙の開口部に対する挿通動作が容易化され、薄葉紙のセッティング動作が一層容易化されることとなる。
【００１６】
さらに本発明では、復元規制機構を採用することにより、第２形状に置かれた変形部につき、不用意に第１形状に復元することが規制され、上記薄葉紙セッティング動作の確実性が担保されることになる。また復元規制機構は、取出部に外力が作用しない状態においてのみ、かかる復元規制を行う構成であるため、薄葉紙セッティングが完了し、使用者が変形部を第１形状に復元させようと、例えば手指で変形部に外力を作用させた場合、あるいは、開口部に挿通された薄葉紙を通じて変形部に外力を作用させた場合においては、変形部は、復元規制機構に阻害されることなく、第２形状から第１形状へと確実に復帰することができる。
その際、変形部の設けられた開口部が上記薄葉紙を通紙したまま閉じられるため、薄葉紙が開口部から脱落することを抑止し、その結果、確実な挿通が可能になる。
【００１７】
本発明では、以上の構成により、薄葉紙を取出し自在に収容する収容容器につき、当該薄葉紙の取出し性能およびセッティング作業の容易化を確実に担保できる技術が提供されることとなる。
【００１８】
（上記本発明の好ましい形態について）
上記収容容器における変形部は、前記基部に隣接する第１環状部材と、前記第１環状部材の内側に同心状に配置された第２環状部材と、前記第１環状部材および第２環状部材を連接する連接部と、を有する構成とすることが好ましい。この場合、前記開口部は、前記第２環状部材に設けられ、前記復元規制機構は、前記変形部が前記第２形状に置かれた場合に、前記第１環状部材が前記第１方向に変位することを阻止するよう設定された前記連接部を構成要素とすることが好ましい。
【００１９】
このように構成することで、第２形状に置かれた変形部において、第１環状部材が第１方向に変位することを、当該第１環状部材に連接された連接部材が阻害し、変形部の復元動作を確実に規制することができる。また変形部の構成パーツの一部である連接部を復元規制機構の構成要素として採用するため、当該復元規制機構のために複雑な部材構成を必要としない利点が得られる。
【００２０】
さらに本発明においては、前記連接部につき、前記第１環状部材との間に曲折部を有する構成とし、前記復元規制機構は、前記曲折部を構成要素とすることが好ましい。
「曲折部」は、第１環状部材が第１方向に変位することを阻止できる構成であれば足りる趣旨であり、第１環状部材に隣接する箇所に形成してもよく、また連接部の中間領域、すなわち第１環状部材から少し離間した箇所に形成してもよい。更に「曲折部」の曲折態様としては、明確な稜線を伴って曲折部を形成する態様、かかる稜線が複数設けられた態様、徐々にカーブする湾曲部をもって曲折部とする態様、あるいはそれらの組み合わせが適宜選択可能である。
このように構成することで、復元規制機構の働きを、曲折部を介して簡便かつ確実に担保することが可能とされる。
【００２１】
さらに本発明においては、前記連接部につき、前記第２環状部材との間に曲折部を有する構成とし、前記復元規制機構は、前記曲折部を構成要素とすることが好ましい。
「曲折部」の態様については、上記連接部と第１環状部材との間に形成する場合と同様である。また当該曲折部と、上記連接部と第１環状部材との間に形成された曲折部のそれぞれを復元規制機構の構成要素とすることで、第１環状部材の第１方向への変位を更に確実に抑制する構成を採用することもできる。
【００２２】
さらに本発明においては、前記連接部に段差部が設けられた構成を採用し、前記復元規制機構は、前記段差部を構成要素とすることが好ましい。
「段差部」とは、連接部に形成された所定の段状部分をいい、典型的には、当該段状部分を溝ないし突条の一方または双方で構築することが好ましい。さらに段差部は、単一または複数設定することが可能であり、復元規制に必要とされる抵抗力等に基づいて適宜に定められる。
【００２３】
さらに本発明においては、前記連接部に厚肉部が設けられた構成を採用し、前記復元規制機構は、前記厚肉部を構成要素とすることが好ましい。
「厚肉部」とは、連接部における他の領域よりも肉厚とされた連接部の所定領域をいい、かかる肉厚部分が、第１環状部材の第１方向への変位に対する抵抗部として機能することとなる。当該厚肉部は、上記した曲折部や段差部に加えて形成し、これらの複合体によって復元規制機構を構成してもよく、あるいは厚肉部のみを単体で形成して復元規制機構としてもよい。
【００２４】
さらに本発明において、前記第１環状部材は、前記第１方向および第２方向に関し傾斜状とされた筒状部を有し、前記連接部は、当該第１方向および第２方向に関し、前記筒状部の傾斜角度と異なる角度で延在する構成を採用し、当該連接部を復元規制機構の構成要素とすることが好ましい。
【００２５】
連接部における「異なる角度で延在」とは、少なくとも第１環状部材と連接部とが連接する領域において、連接部の延在角度が前記第１環状部材の筒状部の傾斜角度と異なる角度であれば足りる趣旨である。
例えば、第１環状部材の筒状部が、場所によって複数の傾斜角度を有するような場合には、連接部への連接領域における筒状部傾斜角度と、連接部の延在角度が異なっていれば足りる。
かかる構成を採用することにより、変形部が第２形状に置かれている場合に、連接部が、第１環状部材が第１方向へと変位することを効果的に阻害することが可能とされ、復元規制機構の機能を確実に担保することができる。
【００２６】
さらに本発明においては、少なくとも前記連接部につき、閉じた環状に形成することが好ましい。「閉じた環状」とは、典型的には円環形状がこれに該当する。閉じた環状に形成することにより、連接部の剛性を高め、これによって復元規制機構としての規制能力を向上・担保することができる。
【００２７】
さらに本発明においては、前記第２環状部材の前記第２方向側にリブ部材を設ける構成とすることが好ましい。「リブ部材」は、肋材とも称呼され、単数または複数のいずれも採用可能である。当該リブ部材の設置により、第２環状部材の剛性を高めることができ、第１形状および第２形状に置かれた変形部の形状安定性を向上することができる。
【００２８】
前記リブ部材は、変形部の形状安定性の見地より、前記第２環状部材から、更に前記第１環状部材に延在配置され、あるいは、第２環状部材から、第１環状部材を経て、更に前記ベース部に至るまで延在配置されることが好ましい。
【００２９】
さらに前記リブ部材は、複数設けられるとともに、前記取出部が前記第１形状に置かれた場合に、前記複数のリブ部材の端部が、前記薄葉紙に当接することで、当該薄葉紙に対する摺動抵抗を付与するよう構成されることが好ましい。この場合、複数のリブ部材は、それぞれ個別に形成されてもよく、あるいは、複数のリブ部材の一部または全部が連結されて形成されてもよい。
かかる構成を採用することにより、第１形状におかれた取出部において、開口部のみならず、リブ部材の端部が薄葉紙に摺動抵抗を併せて付与できるため、薄葉紙の取出し性能を一層向上することができる。
【００３０】
特に、薄葉紙に破断線を形成して、薄葉紙を構成する単位片毎に分離して取出したい場合には、前記リブ部材につき、前記薄葉紙への当接箇所に対応して爪歯部を設け、摺動抵抗の更なる増大を図ることが好ましい。
前記リブ部材につき、前記薄葉紙への当接箇所に対応して摺動抵抗付与機構（リブ部材）と並行する溝を設け、摺動方向への然るべく抵抗を与えつつ、偶力作用を抑止し、薄葉紙の捩じれを抑制することで当該薄葉紙の円滑な抜き取り動作を実現することもできる。
【００３１】
以上を総合して、本発明においては、前記薄葉紙に破断線を形成しておき、前記第１形状に置かれた前記変形部は、前記開口部を通過する薄葉紙に対して摺動抵抗を付与することで、前記薄葉紙の前記破断線における破断動作を補佐するように構成された通常使用モードに対応させることが好ましい。
【００３２】
また、前記第２形状に置かれた前記変形部は、前記収容容器本体部に収容された状態の前記薄葉紙を前記開口部に挿通する場合に、前記第１形状における開口面積よりも大きな開口面積とされた前記開口部が、当該薄葉紙の挿通動作を容易化するよう構成された、薄葉紙セッティングモードに対応するよう構成することが好ましい。
【００３３】
また本発明においては、前記薄葉紙はウェットティッシュで構成されるとともに、前記取出部には、前記開口部を開閉自在に覆う蓋が設けられ、前記蓋を介して前記開口部が覆われた状態においては、前記収容容器内外の連通が遮断される構成とするのが好ましい。これにより、未使用時にウェットティッシュの液剤が開口部から外部に蒸散し、あるいは外部の塵埃等が不用意に収容容器内部に侵入する可能性が効果的に抑制されることとなる。
【発明の効果】
【００３４】
本発明によれば、薄葉紙を取出し自在に収容する収容容器につき、当該薄葉紙の取出し性能およびセッティング作業の容易化を確実に担保できる技術が提供される。
【図面の簡単な説明】
【００３５】
【図１】本発明の第１実施形態に係る収容容器の概要を示す部分正面断面図である。
【図２】本発明の第１実施形態に係る収容容器における取出部の構成を示す正面断面図である。
【図３】本発明の第１実施形態に係る取出部の構成を示す平面図である。
【図４】本発明の第１実施形態に係る変形部の構成を示す部分断面図である。
【図５】本発明の第１実施形態に係る収容容器において、薄葉紙セッティングモードの概要を示す正面断面図である。
【図６】本発明の第２実施形態に係る収容容器における取出部の構成を示す正面断面図である。
【発明を実施するための形態】
【００３６】
本発明に係る実施形態を図１〜図６に基づき説明する。図１〜図５は本発明に係る第１実施形態を示し、図６は本発明に係る第２実施形態を示す。
第２実施形態において、第１実施形態と同一または近い構成や機能を奏する部品または構造体は、第１実施形態と同一の部品名称および符号を用いて、その説明を省略する場合がある。
【００３７】
（第１実施形態）
本発明の第１実施形態に係る薄葉紙の収容容器の全体構成について図１に示す。図１における収容容器１０は、本体部１０１と、当該本体部１０１に連接された上蓋体部１０２とを主体として構成される。本体部１０１および当該本体部１０１に連接された上蓋体部１０２は、ともに本発明における「収容容器本体部」に対応する構成例である。
【００３８】
本実施の形態においては、各構成部材の説明のため、収容容器１０から離間する方向を第１方向Ｄ１，収容容器１０に近接する方向を第２方向として定義する。本実施の形態では、第１方向Ｄ１と第２方向Ｄ２が互いに１８０度対向した状態（すなわち両方向が一直線をなす状態）として規定される。また図１（および図２以降）では、収容容器の長軸が上下方向を向くように図示しているため、第１方向Ｄ１・第２方向Ｄ２は、それぞれ鉛直上下方向と合致するように示されている。
【００３９】
本体部１０１は、図１において上方側に本体開口部１０１Ａを有する中空筒状体として構成されるとともに、その中空空間が薄葉紙１の収容空間１０１Ｂとして構成される。
上蓋体部１０２は、図１において下方に上蓋体開口部１０２Ａを有する中空筒状体として構成されるとともに、当該上蓋体開口部１０２Ａが本体開口部１０１Ａに臨むようにして本体部１０１の上端に連接される。また上蓋体部１０２の上端には、薄葉紙１の取出部１０３が設けられるととともに、当該取出部１０３を、収容容器１０の外部１１に露出可能に蓋１１５が設けられている。本実施の形態においては、本体部１０１および上蓋体１０２（蓋１１５を含む）は、ポリエチレン、ポリプロピレン、ポリエチレンテレフタレートあるいはＡＢＳ樹脂等を材質として形成されている。
【００４０】
図１に示す薄葉紙１は、便宜上一部の図示を省略するが、規則的に折り畳まれた長尺連続紙体として構成されるとともに、当該長尺方向に関して所定の間隔毎に、引張強度について脆弱化された破断部２が形成されており、当該破断部を介して、単位毎のウェットティッシュ単位片１Ａ、１Ｂ、１Ｃ・・・が順次に連接された構成とされる。
【００４１】
破断部２は、典型的には、断続的に切欠きが形成されたミシン目、あるいは断続的に複数配された薄肉部等によって形成される。
本実施形態における薄葉紙１については、一例として、家庭用に用いられる、アルコール含有のウェットティッシュ１Ａ，１Ｂ，１Ｃ・・によって構成されている。
【００４２】
図１に示すように、蓋１１５が開放されている場合、取出部１０３が外部１１に露出されることになり、当該取出部１０３に形成された開口部１１４を通じて、薄葉紙１を外部１１へと取出すことが可能とされる。本実施の形態では、薄葉紙１の先端部３を使用者が手指で引っ張ることで薄葉紙１が外部１１に取り出される。
一方、蓋１１５が閉じている場合（便器上、図示を省略）には、収容容器１０内の収容空間１０１Ｂは外部１１との連通が遮断された状態に置かれる。従って、薄葉紙１を構成するウェットティッシュ１Ａ，１Ｂ，１Ｃ・・・に浸漬された液剤の外部蒸散が効果的に回避される。
なお本実施の形態では、本体部１０１および上蓋体部１０２を連接することで、本発明における「収容容器本体部」を形成する構成を採用しているが、これを一体成形で形成する構成を採用してもよい。
【００４３】
次に、取出部１０３の構成について、更に図２、図３に基づいて説明する。
図２、図３に示すように、取出部１０３は、ベース部１０４、変形部１０５を有する。
ベース部１０４は、本発明における「基部」に対応し、変形部１０５は本発明の「変形部」に対応する構成例である。
本実施の形態では、取出部１０３を構成するベース部１０４および変形部１０５は、一例として、シリコンゴムを材質として一体形成さている。当該取出部１０３は、ゴム材料に代えて、例えばスチレン―ブタジエン系・ポリエステル系ないしウレタン系の軟質樹脂材料を用いることも可能である。
また、軟質性のポリエチレンやポリプロピレンを用いることも可能である。。
これにより取出部１０３のうち、ベース部１０４は、可撓性の軟質材として上蓋体部１０２への取付が容易に遂行可能とされ、かつ、変形部１０５は、可撓性の軟質材として、例えば使用者の手指の押圧操作等の外力作用により、塑性変形ないし破壊を伴わない弾性変形が許容された状態に置かれる。
【００４４】
ベース部１０４は、円環状に形成されるとともに、図１に示す上蓋体部１０２に連接するための円環状の取付基部１０４Ａが設けられている。取付基部１０４Ａは、上蓋体１０２の上端開口部１０２Ｃに嵌合状に取り付けられ、取出部１０３が上蓋体１０２から不用意に離脱することを防止する。
【００４５】
変形部１０５は、図２および図３に示すように、円環状かつ傾斜筒状に形成された第１環状部材１１１を有する。第１環状部材１１１は、その第２方向Ｄ２端部側のベース部連接領域１１１Ａにおいて、ベース部１０４に連接されている。第１環状部材１１１とベース部１０４は、取出部１０３の中心線Ｌに関して互いに同心状に配置される。
【００４６】
変形部１０５は、円環状かつ傾斜筒状に形成された連接部１１３を有する。連接部１１３は、第１連接領域１２１を介し、中心線Ｌに関し、第１環状部材１１１に同心状に連接されている。
【００４７】
更に、変形部１０５は、円環状かつ傾斜筒状に形成された第２環状部材１１２を有する。第２環状部材１１２は、第２連接領域１２２を介して連接部１１３に連接されている。また、図２に示す状態において、第２環状部材１１２のＤ１方向側（すなわち図中上方側）端面には開口部１１４が形成されている。
【００４８】
開口部１１４は、図３に示すように、第２環状部材１１２の上面において、４つの開口部形成体１１６（１１６Ａ、１１６Ｂ、１１６Ｃ、１１５Ｄ）を介して、十字形のスリット状空隙として形成されている。
【００４９】
また図３に示すように、第１環状部材１１１、第２環状部材１１２および連接部１１３は、それぞれ閉じた円環状、すなわち周方向に不連続となる切欠き部を有さない形状とされ、筒形状の曲げ剛性が確保されている。
なお、例えば筒形状の剛性を（低減）調整するべく、第１環状部材１１１、第２環状部材１１２および連接部１１３の一部または全部につき、切欠き部を有する円環形状（いわゆるＣ字形状）に形成することも可能である。
【００５０】
変形部１０５を形成する第１環状部材１１１、第２環状部材１１２および連接部材１１３は、弾性材として一体状に形成されるとともに、図１および図２に示すように、特に外力が作用しない通常時においては、変形部１０５は、第１方向Ｄ１（図中上方）に向かって凸状（すなわち第１方向Ｄ１に凸状のドーム形状）となるように構成されている。
変形部１０５が第１方向Ｄ１に向かって凸状とされた形状は、本実施の形態において「第１形状Ｓ１」と定義される。また変形部１０５が当該第１形状Ｓ１に置かれた状態の収容容器１０につき、本実施の形態では「通常使用モード」と定義される。
【００５１】
一方、変形部１０５は、使用者の手指による押圧等といった外力の作用により、図５に示すように、第２方向Ｄ２に向かって凸状となるように変形可能とされている。ここでいう「変形」とは、図２に示す第１環状部材１１１が、ベース部連接領域１１１Ａを起点として、第２方向Ｄ２側へと裏返し状に変位するとともに、連接部１１３が、第１連接領域１２１を起点として、第２方向Ｄ２側へと裏返し状に変位し、更に第２環状部材１１２が、第２連接領域１２２を起点として第２方向Ｄ２側へと裏返し状に変位することにより、変形部１０５が、図２に示す第１形状Ｓ１から、裏返された状態で、第２方向Ｄ２に向かって凸状（すなわち第２方向Ｄ２に向かって凸状とされたドーム形状）となるように形状変更されることをいう。
【００５２】
上述のように変形部１０５が、変形によって第２方向Ｄ２に向かって凸状とされた形状（図５参照）は、本実施の形態では「第２形状Ｓ２」と定義される。
また変形部１０５が当該第２形状Ｓ２に置かれた状態の収容容器１０につき、本実施の形態では「薄葉紙セッティングモード」と定義される。
【００５３】
第１形状Ｓ１に置かれた変形部１０５においては、図２に示されるように、連接部１１３が第１環状部材１１１に連接される第１連接領域１２１および、連接部１１３が第２環状部材１１２に連接される連接領域１２２は、それぞれ曲折部１２３、１２４（湾曲部、変節部とも称呼される）を形成するとともに、段差部１２５，１２６（突条部、凸状部等とも称呼される）を形成するよう構成されている。
かかる曲折部１２３、１２４および段差部１２５，１２６は、本実施の形態において、それぞれ復元規制機構１１７を構成する。換言すれば、曲折部１２３、１２４および段差部１２５，１２６は、それぞれ復元規制機構１１７の構成要素をなす。
なお当該復元規制機構１１７は、本発明における「復元規制機構」に対応する。
【００５４】
さらに変形部１０５においては、図４に示すように、第１方向Ｄ１ないし第２方向Ｄ２に関し、第１環状部材１１１、第２環状部材１１２、連接部１１３それぞれの筒状部の傾斜角度は互いに異なるように設定されている。具体的には、第１環状部材１１１、第２環状部材１１２、連接部１１３が、それぞれ第１方向Ｄ１ないし第２方向Ｄ２となす角度Ａ１、Ａ２、Ａ３につき、「Ａ１＞Ａ３」、そして「Ａ３＞Ａ２」となるように設定されている。
【００５５】
このように、第１環状部材１１１の筒状部の傾斜角度とは異なる角度で延在する連接部１１３、および連接部１１３の傾斜角度とは異なる角度とされた傾斜筒状部を有する第２環状部材１１２は、それぞれ本実施の形態において、復元規制機構１１７を構成する。
換言すれば、連接部１１３および第２環状部材１１２は、それぞれ復元規制機構１１７の構成要素をなす。
【００５６】
本実施の形態における変形部１０５においては、図２に示すように、第１環状部材１１１の第２方向Ｄ２側において、当該第１環状部材から連接部材１１３および第２環状部材１１２に向けて、ベース部１０４周縁部に至るまで、更にリブ部材１３０が延在状に一体成形されている。当該リブ部材１３０は、図２および図３に示すように、中心線Ｌを挟んで、第１方向Ｄ１ないし第２方向Ｄ２と交差する径方向に関し、互いに対向する一対のリブ部材１３０Ａ，１３０Ｂおよび１３０Ｃ、１３０Ｄと、合計で４つのリブ部材１３０が形成されている。リブ部材１３０は、上記した変形部１０５の成形に際して、当該変形部１０５と一体成形によって形成される。
【００５７】
リブ部材１３０は、リブ本体部１３１および薄葉紙１への当接部１３２を主体として構成されており、当接部１３２は、変形部１０５が第１形状Ｓ１および第２形状Ｓ２のそれぞれに置かれるのに対応して、薄葉紙１に対する相対位置が変化するように構成されている。
具体的には、図２に示す通常使用モードにおいては、薄葉紙１への当接部１３２の当接が許容される一方、図５に示す薄葉紙セッティングモードにおいては、変形部１０５の変形動作に応じて、当接部１３２が開口部１１４から離間することで、薄葉紙１への当該当接部１３２の当接が禁止される構成とされている（図４参照）。
なお、通常使用モードおよび薄葉紙セッティングモードの詳細な作用については以下に述べる。
【００５８】
（本実施の形態の作用）
次に、上記構成を有する収容容器１０の作用につき、以下に説明する。
（通常使用モード）
図１および図２に示すように、変形部１０５が第１形状Ｓ１、すなわち第１方向Ｄ１に向かって凸状とされた状態の収容容器１０につき、上述の通り「通常使用モード」と定義される。
【００５９】
通常使用モードにおいては、収容空間１０１Ｂに収容された薄葉紙１が開口部１１４を挿通された状態とされる。この状態で、蓋１１５を開放することで、薄葉紙１の先端部３が外部１１に露出されることになる。この状態で、使用者が手指を使って薄葉紙１の先端部３を把持・引張ることにより、薄葉紙１が開口部１１４を摺動しつつ外部１１へと引き出されることになる。
【００６０】
当該通常使用モードにおいては、開口部１１４の開口面積は、薄葉紙１の挿通を許容しつつ、当該薄葉紙に対して所定の摺動抵抗を付与することができるように設定されている。かかる開口部１１４の状態が図３に示されている。開口部１１４による摺動抵抗は、主として、開口部形成体１１６の薄葉紙１への当接作用によって生じる。
【００６１】
またリブ部材１３０は、当該通常使用モードにおいては、図２に示すように、当接部１３２（爪歯部１３３）が、薄葉紙１に当接することで、更に所定の摺動抵抗を付与することになる。
【００６２】
開口部１１４（開口部形成体１１６）による摺動抵抗、およびリブ部材１３０の当接部１３２による摺動抵抗が付加されることにより、図１に示す薄葉紙１は、破断部２において破断し、単位片１Ａが、切り離された状態で、外部１１へと取出されることになる。なお特に図示しないものの、単位片１Ａの取出しに伴い、単位片１Ｂの先端が開口部１１４に挿通され、次の取出しに備えることになる。
【００６３】
上記の通り、リブ部材１３０は、変形部１０５を構成する第１環状部材１１１、第２環状部材１１２および連接部１１３と一体成形されるとともに、ベース部１０４周縁に至るまで延在配置されている。これによりリブ部材１３０を含む取出部１０３全体の剛性が増大されている。従ってリブ部材１３０は、外部１１へと引き出される薄葉紙１に当接しても、その反力に負けることがなく、第１形状Ｓ１に置かれた変形部１０５の形状が確実に維持されつつ、薄葉紙１に対して安定的に摺動抵抗を付与することが可能である。
【００６４】
（薄葉紙セッティングモード）
図１に示す収容容器１０では、変形部１０５が第１形状Ｓ１に置かれているが、当該変形部１０５につき、図５に示す第２形状Ｓ２、すなわち変形部１０５が第２方向Ｄ２に向かって凸状に変形された状態は、既に述べたように「薄葉紙セッティングモード」と定義される。
【００６５】
薄葉紙セッティングモードにおいては、図５に示すように、変形部１０５が第２方向Ｄ２へと裏返し状に反転された状態、すなわち第１環状部材１１１が、ベース部連接領域１１１Ａを起点として、第２方向Ｄ２側へと裏返し状に回動変位するとともに、連接部１１３が、第１連接領域１２１を起点として、第２方向Ｄ２側へと裏返し状に回動変位し、更に第２環状部材１１２が、第２連接領域１２２を起点として第２方向Ｄ２側へと裏返し状に回動変位した状態とされる。
【００６６】
通常使用モードから薄葉紙セッティングモードへは、上述のように、変形部１０５を、使用者の手指による押圧等で変形させることで切り替えられる。
図５に示すように、薄葉紙セッティングモードにおいては、開口部１１４を形成する開口部形成体１１６（本実施形態では、図３に示す合計で４つの開口部形成体１１６Ａ〜Ｄ）が中心線Ｌから離間するように開くことにより、当該開口部１１４の開口面積が、上記した通常使用モードにおける開口部１１４の開口面積よりも大きくなるように設定されている。
なお、当該薄葉紙セッティングモードにおいては、第２環状部材１１２が僅かに第２方向Ｄ２に撓むことで、弾性変形した膨出部１１２Ａが形成され、これによって開口部形成体１１６が開き、開口部１１４の開口面積が拡大される。
【００６７】
また薄葉紙セッティングモードにおいて、リブ部材１３０は、図５に示すように、第１環状部材１１１、第２環状部材１１２、連接部１１３の反転裏返しに伴って、薄葉紙当接部１３２が中心線Ｌから（すなわち開口部１１４から）離間するように変位する。
【００６８】
この状態で、使用者は、収容部１０１Ｂに収容された薄葉紙（図５では便宜上図示を省略）を、開口部１１４に挿通することで、薄葉紙１のセッティングを行う。
このとき、上記の通り、薄葉紙セッティングモードにおける開口部１１４の開口面積は、膨出部１１２Ａおよび開口部形成体１１６の開き作用により、通常使用モードにおける開口面積よりも大きくなるように設定され、更に、リブ部材１３０の薄葉紙当接部１３２が開口部１１４から離間変位されているため、使用者は、開口面積の増大した開口部部１１４を通じて、リブ部材１３０に邪魔されることなく、容易に薄葉紙１を当該開口部１１４に挿通させることができる。
【００６９】
（復元規制機構の作用）
変形部１０５は、薄葉紙セッティングモードにおいては、図５に示す第２形状Ｓ２に置かれているが、上記の通り、当該変形部１０５は弾性変形可能な素材で構成されているため、図２に示す第１形状Ｓ１へと復元しようとする弾性力が作用することになる。
本実施の形態では、曲折部１２３、１２４、段差部１２５，１２６、および連接部１１３の傾斜角度とは異なる角度で延在する第２環状部材１１２が、それぞれ復元規制機構１１７を構成しており、第２形状Ｓ２に置かれた変形部１０５において、抵抗体となって、第１環状部１１１が第１方向Ｄ１に変位することを阻害し、この結果、変形部１０５の第１形状Ｓ１への復元が効果的に規制されることとなる。
【００７０】
（薄葉紙セッティングモードから通常使用モードへの切り替え）
薄葉紙１が開口部１１４に挿通されて薄葉紙セッティングモードが完了した場合、使用者の手指による外力付加、あるいは開口部１１４に挿通された薄葉紙１を使用者が引張ることに起因して、変形部１０５に第１方向Ｄ１への外力（ないしは第１方向Ｄ１への方向成分を含む外力）が作用することにより、変形部１０５は、図５に示す第２形状Ｓ２から、図２に示す第１形状Ｓ１へと変形・復元する。
これにより薄葉紙セッティングモードから通常使用モードへの切り替えが完遂される。
【００７１】
このとき、薄葉紙セッティングモードにおいて開口面積の拡大した開口部１１４は、通常使用モードへの切り替えに伴って、薄葉紙１に摺動抵抗を付与可能な状態へと復帰するとともに、リブ部材１３０にあっては、薄葉紙当接部１３２が開口部１１４に近接して、薄葉紙１に摺動抵抗を付与可能な状態へと復帰する。
【００７２】
なおた上記した復元規制機構１１７は、外力が作用しない状態で、第２形状Ｓ２に置かれた変形部１０５が第１形状Ｓ１へと復元することを阻害する構成であって、薄葉紙セッティングモードから通常使用モードへの切り替えに際し、使用者による意図的・積極的な外力付加がなされた場合には、当該モード切替を不用意に阻害することがなく、切り替え動作の円滑性が担保されている。
【００７３】
（本実施形態の作用・効果の総括）
本実施の形態によれば、通常使用モードにおいては、変形部１０５が常時に第１形状Ｓ１に置かれ、当該変形部１０５に設けられた開口部１１４を通じて、薄葉紙が収容容器から円滑に取出可能とされる。また開口部１１４の開口面積の設定、およびリブ部材１３０の薄葉紙当接部１３２の作用により、薄葉紙１には所定の摺動抵抗が付与され、破断部２での破断が容易化されており、薄葉紙１の高い取出能力が担保される。
【００７４】
一方、薄葉紙セッティングモードにおいては、変形部１０５が外力作用を介して第２形状Ｓ２に置かれ、当該変形部に設けられた開口部１１４が、上記第１形状における開口面積よりも大きな開口面積とされることで、薄葉紙１の開口部１１４に対する挿通動作が容易化され、薄葉紙１のセッティング動作性が向上することとなる。
【００７５】
そして薄葉紙セッティングモードにおいては、復元規制機構１１７を採用することにより、第２形状Ｓ２に置かれた変形部１０５が、不用意に第１形状Ｓ１に復元することを規制する構成とされ、上記薄葉紙セッティング動作の確実性が担保されることになる。
【００７６】
また復元規制機構１１７は、変形部１０５に外力が作用しない状態においてのみ、かかる復元規制を行う構成であるため、薄葉紙セッティングが完了し、使用者が変形部を第１形状Ｓ１に復元させようと、例えば手指で変形部１０５に外力を作用させた場合、あるいは、開口部に挿通された薄葉紙１を通じて変形部１０５に外力を作用させた場合、変形部１０５は、復元規制機構１１７に阻害されることなく、第２形状Ｓ２から第１形状Ｓ１へと確実に復帰することができる。
【００７７】
本実施の形態では、かかる構成の採用により、薄葉紙１を取出し自在に収容する収容容器１０につき、当該薄葉紙１の取出し性能およびセッティング作業の容易化が確実に担保されることとなった。
【００７８】
（本発明の第２実施形態）
本発明の第２実施形態は、図６に示すように、第１実施形態におけるリブ部材１３０（図２参照）を割愛した実施形態に係る。
上記したように、第１実施形態におけるリブ部材１３０は、取出部１０３を高剛性化するとともに、通常使用モードにおいては、当接部１３２を介して薄葉紙１に対する高い摺動抵抗を付与する部材として構成されている。一方、取出部１０３の材質等によっては、当該取出部１０３に高い剛性を付与する必要性が乏しいケースもあり、また、使用する薄葉紙の種類や性状によっては、かかる強い摺動抵抗を必要としないケースもあり、かかる状況を勘案し、当該リブ部材１３０が割愛された状態の取出部２０３を準備し、当該取出部２０３を用いて収容容器を構成することができる。
【００７９】
（本発明の第３実施形態）
本発明の第３実施形態は、便宜上特に図示をしないものの、上記図２および図３における連接部１１３につき、当該連接部１１３の一部を、他の連接部１１３の領域よりも肉厚の「厚肉部」として構成し、当該厚肉部を上記復元規制機構１１７の構成要素とする実施形態である。
かかる構成を採用することにより、当該厚肉部が、第２形状Ｓ２に置かれた変形部１０５の第１形状Ｓ１への復元動作に対する抵抗となり、当該変形部１０５の復元規制を一層効果的に遂行することが可能とされる。
【符号の説明】
【００８０】
１  薄葉紙、ウェットティッシュ
１Ａ、１Ｂ，１Ｃ  ウェットティッシュの単位片
２  破断部
３  薄葉紙の先端部分
１０  収容容器
１１  収容容器の外部
Ｄ１  第１方向
Ｄ２  第２方向
１０１  本体部
１０１Ａ  本体開口部
１０１Ｂ  収容部
１０２  上蓋体部
１０２Ａ  上蓋体開口部
１０２Ｂ  上蓋体上端部
１０２Ｃ  上蓋体上端開口部
１０３  取出部
１０４  ベース部
１０５  変形部
１１１  第１環状部材
１１１Ａ  ベース部連接領域
Ａ１  筒状部傾斜角度
１１２  第２環状部材
Ａ２  筒状部傾斜角度
１１３  連接部
１２１  （第１環状部材に対する）連接領域
１２２  （第２環状部材に対する）連接領域
１２３  （第１環状部材に対する）曲折部
１２４  （第２環状部材に対する）曲折部
１２５  （第１環状部材に対する）段差部
１２６  （第２環状部材に対する）段差部
Ａ３  連接部延在角度
１１４  開口部
１１５  蓋
１１６、１１６Ａ〜Ｃ  開口部形成体
Ｓ１  第１形状（通常使用モード）
Ｓ２  第２形状（薄葉紙セッティングモード）
１１７  復元規制機構
１３０  リブ部材
１３１  本体部
１３２  薄葉紙当接部
１３３  爪歯部
【図１】
2019099237.tif 000003
【図２】
2019099237.tif 000004
【図３】
2019099237.tif 000005
【図４】
2019099237.tif 000006
【図５】
2019099237.tif 000007
【図６】
2019099237.tif 000008